(57)【要約】【課題】製造コストの削減を図り、筐体内ユニットに収納された制御基盤のメンテナンスに利便性を持たせることができる遊技機を提供する。【解決手段】本発明の遊技機１０は、筐体内ユニット５１の上部に上部固定部５５を、下部に第一の係合部面５２及び第二の係合部面５３を備え、筐体内壁は、所定の位置に、筐体内ユニット５１の上部固定部５５を固定するためのビス６５と、筐体内ユニット５１の第一の係合部面５２及び第二の係合部面５３と係合することによって筐体内ユニット５１を掛止する掛止部６１とを備える。筐体内ユニット５１の上部固定部５５の固定を解除した場合には、第一の係合部面５２及び第二の係合部面５３と、掛止部６１と、の係合状態を維持しつつ、筐体内ユニット５１の開口部を、上方に向けたままの状態で保持させることが可能となる。【選択図】      図３
2004344522.tif 000002
【特許請求の範囲】
【請求項１】
制御基板を含む電子部品を収納しているケースが遊技機の筐体内部に装着される遊技機であって、
該遊技機の筐体内部の垂直面には、掛止部分を有する掛止部を備えており、
前記ケースは、
前記遊技機に装着されたときに下面となる面に設けられ、前記掛止部の掛止部分に脱着自在に係合する係合部と、
前記遊技機に装着されたときに上面となる面に設けられ、前記ケースを前記筐体内部の垂直面に固定するための固定部と、を有することを特徴とする遊技機。
【請求項２】
請求項１に記載の遊技機において、
前記ケースは、前記筐体内部の垂直面に装着された状態のときに、該筐体内部の垂直面と対向する面に開口部を有し、
前記掛止部は、前記固定部による固定が解除された場合に、前記係合部と係合したまま、前記開口部が上方を向いた状態で前記ケースを保持することを特徴とする遊技機。
【請求項３】
請求項２に記載の遊技機において、
前記掛止部は、前記筐体内部の垂直面から水平方向に延設される水平部位と、該水平部位の端部から上方に延設された垂直部位とからなり、
前記係合部は、前記ケースの開口面から水平に延設された水平部位と、該水平部位の端部から垂直に延設された垂直部位とからなり、
前記係合部の垂直部位の表面には、前記掛止部の垂直部位が貫入する孔が設けられていることを特徴とする遊技機。
【請求項４】
請求項１から３のうちいずれか１項に記載の遊技機において、
前記ケースは鋼板から成型されていることを特徴とする遊技機。
【発明の詳細な説明】
【０００１】
【発明の属する技術分野】
本発明は、制御基板を含む電子部品を収納した筐体内ユニットを装着した遊技機に関する。
【０００２】
【従来の技術】
従来、遊技機の制御基板を、その筐体内部に内蔵するために、次のような方法がとられていた。即ち、遊技機の制御基板を筐体内ユニットに収納し、その筐体内ユニットを筐体の内壁に固定するために、筐体内ユニットの上部及び下部に固定部を設け、その全ての固定部と筐体とを、ビスとナットで接合することに依っていた（例えば、特許文献１参照）。
【０００３】
【特許文献１】
特開２００１−１７０２４９号公報
【０００４】
【発明が解決しようとする課題】
しかしながら、上記のように、筐体内ユニットを筐体に固定するために、筐体内ユニットの全ての固定部を、ビスとナットによって固定すると、それだけで部品点数が増え、コストが嵩む。その上、筐体内ユニットに収納された制御基板のメンテナンスを行うために、ビスとナットによる固定部分をすべて解除し、筐体内ユニットを筐体の内壁から完全に取り外した状態に至るまではメンテナンスが行えないという、メンテナンスの非容易性の問題がある。また、筐体内ユニットの固定部分をすべて解除する途中で、筐体内ユニットが不意に落下して、筐体内ユニット内部に収納される制御基板を含む電子部品が破損する可能性があった。
【０００５】
本発明の目的は、部品点数を極力抑えてコストの削減を図り、あわせて、筐体内ユニットに収納された制御基板を含む電子部品のメンテナンスに容易性、利便性を持たせることができる遊技機を提供するものである。
【０００６】
【課題を解決するための手段】
本発明は、以上のような問題点に鑑みてなされたものであり、本発明では、具体的に、以下のようなものを提供する。
【０００７】
（１）  制御基板を含む電子部品を収納しているケースが遊技機の筐体内部に装着される遊技機であって、該遊技機の筐体内部の垂直面には、掛止部分を有する掛止部を備えており、前記ケースは、前記遊技機に装着されたときに下面となる面に設けられ、前記掛止部の掛止部分に脱着自在に係合する係合部と、前記遊技機に装着されたときに上面となる面に設けられ、前記ケースを前記筐体内部の垂直面に固定するための固定部と、を有することを特徴とする遊技機。
【０００８】
（１）の発明によれば、「ケース」は、「前記遊技機に装着されたときに下面となる面に設けられ、前記掛止部の掛止部分に脱着自在に係合する係合部と、前記遊技機に装着されたときに上面となる面に設けられ、前記ケースを前記筐体内部の垂直面に固定するための固定部と」を有するので、筐体内ユニットの固定の際に、ビスとナット等の固定部材の使用を極力抑え、部品点数の軽減を図り、延いては遊技機の製造コストの削減を図ることができる。
【０００９】
（２）  （１）に記載の遊技機において、前記ケースは、前記筐体内部の垂直面に装着された状態のときに、該筐体内部の垂直面と対向する面に開口部を有し、前記掛止部は、前記固定部による固定が解除された場合に、前記係合部と係合したまま、前記開口部が上方を向いた状態で前記ケースを保持することを特徴とする遊技機。
【００１０】
（２）の発明によれば、「前記ケースは、前記筐体内部の垂直面に装着された状態のときに、該筐体内部の垂直面と対向する面に開口部を有し、前記掛止部は、前記固定部による固定が解除された場合に、前記係合部と係合したまま、前記開口部が上方を向いた状態で前記ケースを保持する」ため、筐体内ユニットの固定部の固定を解除することが可能であって、その解除後も、筐体内ユニットの係止部と筐体内部の掛止部との係合が維持されて、筐体内ユニットの安易な落下を防ぐことができる。更に、その開口部を上方に向けた状態で筐体内ユニットを筐体内壁に保持することが可能であり、開口部から露出する制御回路を含む電子部品のメンテナンスを容易に行うことができる。
【００１１】
（３）  （２）に記載の遊技機において、前記掛止部は、前記筐体内部の垂直面から水平方向に延設される水平部位と、該水平部位の端部から上方に延設された垂直部位とからなり、前記係合部は、前記ケースの開口面から水平に延設された水平部位と、該水平部位の端部から垂直に延設された垂直部位とからなり、前記係合部の垂直部位の表面には、前記掛止部の垂直部位が貫入する孔が設けられていることを特徴とする遊技機。
【００１２】
（３）の発明によれば、筐体内ユニットの固定部による固定が解除された場合に、筐体内ユニットの係合部と筐体内部の掛止部とが係合しつつ、筐体内ユニットの開口部が上方に向いた状態で保持するときに、筐体内ユニットが不意に落下する可能性をほぼ無くすることが可能であり、また、筐体内ユニットの係合部と筐体内部の掛止部との係合部分のスムースな動きを実現することができる。
【００１３】
（４）  （１）から（３）のうちいずれか１つに記載の遊技機において、前記ケースは鋼板から成型されていることを特徴とする遊技機。
【００１４】
（４）の発明によれば、「前記ケースは鋼板から成型されている」ため、筐体内ユニットの係合部と筐体内部の掛止部との係合部分の強度を向上させることができ、安易な破損を防止することができる。また、筐体内ユニットを熱溶解または再利用することが可能となり、環境問題の克服の一助となる。
【００１５】
【発明の実施の形態】
以下に、本発明に好適な実施形態について図面に基づいて説明する。
【００１６】
［遊技機の構成］
本実施形態における遊技機の概観について図１を用いて説明する。なお、以下に説明する実施形態においては、本発明に係る遊技機に好適な実施形態として本発明をスロットマシンに適用した場合を示す。図１は、扉を閉鎖した状態のスロットマシンの概観を示す図である。
【００１７】
図１に示すように、スロットマシン１０は、筐体１２と、その筐体１２に組み付けられる各種の部品とから構成されている。この筐体１２は、金属製の本体１４（図２参照）と、金属製の扉１６とから構成されている。扉１６は、本体１４を閉鎖するためのものであり、開閉可能に本体１４に対して装着されている。なお、本体１４、扉１６は、金属製でなくともよく、例えば、木製であってもよい。また、筐体１２は、本体１４と扉１６とからなる構成としたが、本発明はこれに限らず、他の構成要件を備えていてもよく、例えば、他の扉を備えるように構成してもよい。
【００１８】
筐体１２の正面には、画像を表示する表示装置２２が備えられている。この表示装置２２には、画像が表示される表示領域２２ａが設けられている。この表示領域２２ａには、透過性の高い画像が表示可能であり、その透過性の高い画像が表示された場合には、内蔵されている３つのリール２４Ｌ、２４Ｃ、２４Ｒが視認可能となる。
【００１９】
表示装置２２の下方には、遊技媒体であるコイン等を投入可能なコイン投入口２６が形成されている。このコイン投入口２６からコインが投入されることに応じて、スロットゲームが実行可能な状態となる。
【００２０】
コイン投入口２６の側方には、遊技媒体である紙幣を挿入可能な紙幣挿入口２８が備えられている。この紙幣挿入口２８から紙幣が挿入されることに応じて、スロットゲームが実行可能な状態となる。
【００２１】
コイン投入口２６の下方には、遊技者により操作可能な複数の操作部３０が備えられている。これら複数の操作部３０の操作に応じて、スロットマシン１０の制御が行われる。
【００２２】
また、筐体１２の正面の下方には、コイン排出口（図示せず）が形成されており、コイン排出口からコイン等が排出され、コイン受け皿３２に払い出される。
【００２３】
本実施形態におけるスロットマシンの概観について図２を用いて説明する。図２は、扉１６を開放した状態のスロットマシン１０の概略を示す図である。
【００２４】
図２に示すように、本体１４の内部には、各種の部品が装着されている。
【００２５】
本体１４には、金属製の支持ボード４２が備えられている。この支持ボード４２は、本体１４の内部を上下に仕切る様に内壁に取り付けられている。
【００２６】
支持ボード４２の上面には、３つのリール２４Ｌ、２４Ｃ、２４Ｒが備えられている。各リール２４Ｌ、２４Ｃ、２４Ｒには、それぞれ図柄が描かれている。各リール２４Ｌ、２４Ｃ、２４Ｒの内部には、モータが備えられており、そのモータの駆動に応じて、各リール２４Ｌ、２４Ｃ、２４Ｒが回転、停止される。各リール２４Ｌ、２４Ｃ、２４Ｒが回転されることにより、図柄が変動するように視認可能となる。また、リール２４Ｌ、２４Ｃ、２４Ｒが停止されることにより、図柄が停止するように視認可能となる。
【００２７】
リール２４Ｌ、２４Ｃ、２４Ｒの側方には、モータ駆動装置４４が備えられている。モータ駆動装置４４は、リール２４Ｌ、２４Ｃ、２４Ｒを駆動させるためのモータ制御回路（図示せず）とそのモータ制御回路を覆うカバーとで構成されている。
【００２８】
支持ボード４２の下方には、主制御装置４３が備えられている。この主制御装置４３は、スロットマシン１０を制御するため、スロットマシン１０に関する情報処理を実行するものである。
【００２９】
また、主制御装置４３の側方には、紙幣取扱装置４２が備えられている。この紙幣取扱装置４２は、紙幣挿入口２８から紙幣が挿入されたことを検知する機能、紙幣挿入口２８から挿入された紙幣を搬送する機能、紙幣挿入口２８から挿入された紙幣の種類を検知する機能、搬送された紙幣を貯蓄する機能を有する。
【００３０】
また、主制御装置４３の下方には、ホッパー４５が備えられている。このホッパー４５には、コインが貯蓄されている。また、所定の払出条件を満たした場合に、コインが排出される。
【００３１】
ホッパー４５の側方には、電源装置４６が備えられている。この電源装置４６は、主制御装置４３、筐体内ユニット５１等に電源を供給する。
【００３２】
また、扉１６の裏面側にも、各種の部品が装着されている。
【００３３】
扉１６の裏面側には、表示装置２２、コイン識別装置４７等が備えらえている。
【００３４】
また、コイン識別装置４７の側方には、筐体内ユニット５１が備えられている。この筐体内ユニット５１には、操作部制御回路（図示せず）を有する操作部制御基板（図示せず）が収納されている。
【００３５】
なお、本実施形態において「ケース」とは、この筐体内ユニット５１を指す。
【００３６】
また、本実施形態においては、筐体内ユニット５１には操作部制御回路（図示せず）を有する操作部制御基板（図示せず）が収納され、図２に示した如き位置に装着されるものとしたが、本発明はこれに限らず、各種制御回路、例えば、画像表示制御回路や、その他の制御回路の制御基板を収納し、スロットマシン１０の筐体内のいずれの位置にも装着するように設計することが可能である。
【００３７】
また、本実施形態においては、表示装置２２とリール２４Ｌ、２４Ｃ、２４Ｒとを備えるように構成したが、本発明はこれに限らず、他の態様であってもよく、例えば、表示装置２２とリール２４Ｌ、２４Ｃ、２４Ｒとのいずれかを備えるように構成してもよい。
【００３８】
また、本実施形態においては、表示装置２２として液晶表示装置を用いるように構成したが、本発明はこれに限らず、別の態様であってもよく、例えば、ブラウン管、ドットＬＥＤ、セグメントＬＥＤ等からなるものであってもよく、更には、表示装置を備えないように構成してもよい。
【００３９】
［筐体内ユニットの概観］
図３を参照して、筐体内ユニット５１の概観を説明する。
【００４０】
なお、本実施形態では、筐体内ユニット５１は、鋼板により成型されたものであるとするが、本発明はこれに限らず、木材、合成樹脂、アルミニウム合金、その他金属類などのいずれの素材を用いて成型されたものであってもよい。
【００４１】
筐体内ユニット５１の本体は、図３に示す如く、略直方体の形状をとる。
【００４２】
筐体内ユニット５１の下部には、矢印で指し示した”略直方体の面”と平行になるように、第一の係合部面５２が備えられている。
【００４３】
更に、第一の係合部面５２には、第一の係合部面５２と垂直な位置関係で、図３に示すように、第二の係合部面５３が備えられている。
【００４４】
第二の係合部面５３の面上略中央には、図３に示す如く、略矩形の穿孔部５４が備えられている。この略矩形の穿孔部５４の大きさは、次の条件を満たしていれば十分である。即ち、図６に示すように第二の掛止部面６３と略矩形の穿孔部５４とが嵌合することが出来れば十分である。
【００４５】
筐体内ユニット５１の上部には、上部固定部５５が備えられている。
【００４６】
更に、上部固定部５５の面上には、図３に示す如く、長穴５６が設けられている。
【００４７】
この長穴５６の大きさは、次の条件を満たしていれば十分である。即ち、図７に示す如く、上部固定部５５の面に設けられた長穴５６にビス６５（図４参照）を通せる程度であればよい。
【００４８】
［筐体側の筐体内ユニット係止部］
図４は、スロットマシン１０の扉１６の裏側に設けられた筐体内ユニット５１を取り付けるための構造を、矩形の領域部分として部分的に抜き出して示した図である。以下、この”筐体内ユニット５１を取り付けるための構造”を”部分的に”示した”矩形の領域”を、「筐体内ユニット装着領域６６」と称し、その概観を説明する。
【００４９】
なお、本実施形態では、筐体の扉１６の裏側は、鋼板により成型されたものであるとするが、本発明はこれに限らず、木材、合成樹脂、アルミニウム合金、その他金属類などのいずれの素材を用いて成型されたものであってもよい。
【００５０】
図４は、筐体内ユニット５１を筐体内ユニット装着領域６６から取り外した状態の図である。即ち、図２において、筐体内ユニット５１を取り外すと現れる領域である。図４の筐体内ユニット装着領域６６は、スロットマシン１０の筐体内に設けられた、筐体内ユニット５１を取り付けるための構造を、部分的に示した図である。
【００５１】
筐体内ユニット装着領域６６には、爪状の掛止部６１が備えられている。
【００５２】
掛止部６１は、筐体内ユニット装着領域６６の面に対して垂直な第一の掛止部面６２と、筐体内ユニット装着領域６６の面に対して平行な第二の掛止部面６３と、から構成される。
【００５３】
また、掛止部６１の上方の所定の位置、即ち図６の様に掛止部６１と略矩形の穿孔部５４とを係合させた状態で、図７の様に長穴５６に通せる位置に、ビス６５が備えられている。
【００５４】
また、掛止部６１は、筐体内ユニット装着領域６６全体を構成する面の鋼板から一体成型されているものであるので、掛止部６１の成型の結果として、略矩形の穿孔部６４があけられている。
【００５５】
なお、本実施形態では、上述の如く”掛止部６１は、筐体内ユニット装着領域６６全体を構成する面の鋼板から一体成型されている”としているため、”略矩形の穿孔部６４があけられている”としたが、本発明はこれに限らず、掛止部６１を筐体内ユニット装着領域６６に、溶接等の手段を用いて接合するとしてもよい。また、筐体内ユニット５１と、筐体側の筐体内ユニット装着領域６６とのいずれか一方または双方が合成樹脂などの非金属の材質である場合には、接着剤等の接着手段を用いて接合するものであってもよい。
【００５６】
［筐体側掛止部と筐体内ユニットとの係合状況］
図５〜図７を参照して、筐体側掛止部と筐体内ユニットとの係合状況を説明する。
【００５７】
図５は、筐体内ユニット５１が、筐体内ユニット装着領域６６から外された状態を、下方から示したものである。掛止部６１の第二の掛止部面６３に対し、筐体内ユニット５１の略矩形の穿孔部５４が、矢印の方向に従って係合することにより、筐体内ユニット５１の下部が固定される。
【００５８】
図６は、筐体内ユニット５１が、筐体内ユニット装着領域６６に装着された状態を、下方から示したものである。掛止部６１の第二の掛止部面６３に対し、筐体内ユニット５１の略矩形の穿孔部５４が、図６に示す如く係合することにより、筐体内ユニット５１の下部が固定される。また、筐体内ユニット５１の上部は、ビス６５（図４参照）が上部固定部５５の長穴５６（図３参照）に通され、その状態でビス６５とナット７１（図７参照）とを螺合して締結することによって、固定されている。
【００５９】
図７は、筐体内ユニット５１が、筐体内ユニット装着領域６６に装着された状態を、上方から示したものである。筐体内ユニット５１の上部は、ビス６５が上部固定部５５に設けられた長穴５６に通され、その状態でビス６５とナット７１とを螺合して締結することによって、固定されている。
【００６０】
［筐体内ユニットの装着状況］
図８を参照して、筐体内ユニット５１が、その上部と下部が筐体内ユニット装着領域６６に完全に固定されることによって装着された状態の、各部位の位置関係を説明する。
【００６１】
図８は、筐体内ユニット５１が、その上部と下部が筐体内ユニット装着領域６６に完全に固定されることによって装着された状態を、筐体内ユニット５１の向かって右側から見た側面図である。
【００６２】
図８を参照して、筐体内ユニット５１の下部は、第二の係合部面５３が、筐体内ユニット装着領域６６の第二の掛止部面６３により、略矩形の穿孔部５４を貫入されて、掛止されている。第二の係合部面５３の底面と、筐体内ユニット装着領域６６の第一の掛止部面６２の上面と、が当接することにより、筐体内ユニット５１全体は、下方へ落下することなく固定される。
【００６３】
また、筐体内ユニット５１の上部は、ビス６５が、上部固定部５５に設けられた長穴５６に通され、その状態でビス６５とナット７１とを螺合して締結することによって、固定されている。
【００６４】
なお、図８において、筐体内ユニット５１は、筐体内ユニット５１の上部固定部５５のビス６５とナット７１との締結を解除することによって固定状態から解放され、筐体内ユニット装着領域６６の掛止部６１（図４参照）と筐体内ユニット５１の下部の第二の係合部面５３との係合して接触している線分を回転軸として、矢印の方向に回動可能となる。
【００６５】
なお、本実施形態では、ビス６５の本数は１本としているが、本発明はこれに限らず、複数本のビスを用いてナット７１との螺合による締結を行ってもよい。
【００６６】
［筐体内ユニットを引き倒した状態］
図９を参照して、筐体内ユニット５１の上部固定部５５のビス６５（図８参照）とナット７１（図８参照）との締結を解除し、筐体内ユニット装着領域６６の掛止部６１との係合を維持しつつ、筐体内ユニット５１を引き倒した状態の概観を説明する。
【００６７】
筐体内ユニット５１は、その第二の係合部面５３を、筐体内ユニット装着領域６６の掛止部６１と係合させることによって、下方へ落下することなく固定され、かつ筐体内ユニット５１が略水平の状態を保つように保持される。
【００６８】
図９の状態では、筐体内ユニット５１の上面は開口しているので、筐体内ユニット５１の内部に内蔵された制御基板８１が、上方から視認可能であり、制御基板８１のメンテナンスが容易となる。
【００６９】
また、コード穴８２は、制御基板８１に接続されている配線コード（図示せず）を通すためのもので、このようにして筐体内ユニット５１の内部の制御回路と外部の制御回路とを電気的に接続する。
【００７０】
図１０は、筐体内ユニット５１の上部固定部５５のビス６５（図８参照）とナット７１（図８参照）との締結を解除し、筐体内ユニット装着領域６６の掛止部６１との係合を維持しつつ、筐体内ユニット５１を引き倒した状態を、下方から示した図である。
【００７１】
図１０を参照して、筐体内ユニット５１は、その第二の係合部面５３が、筐体内ユニット装着領域６６の第一の掛止部面６２により、略矩形の穿孔部５４を貫入されて、係止されている。第二の係合部面５３の筐体内ユニット５１側の側面と、第二の掛止部面６３の筐体内ユニット装着領域６６側の側面と、が当接することにより、下方へ落下することなく固定され、かつ筐体内ユニット５１が略水平の状態を保つように保持される。
【００７２】
図１１は、筐体内ユニット５１が、その下部が筐体内ユニット装着領域６６の掛止部６１（図４参照）に係止されることによって装着された状態を、筐体内ユニット５１の向かって右側から見た側面図である。
【００７３】
図１１を参照して、筐体内ユニット５１の下部は、その第二の係合部面５３が、筐体内ユニット装着領域６６の第一の掛止部面６２により、略矩形の穿孔部５４を貫入されて、掛止されている。第二の係合部面５３の筐体内ユニット５１側の側面と、第二の掛止部面６３の筐体内ユニット装着領域６６側の側面と、が当接することにより、下方へ落下することなく固定され、かつ筐体内ユニット５１が略水平の状態を保つように保持される。
【００７４】
なお、図１１において、筐体内ユニット５１は、筐体内ユニット装着領域６６の掛止部６１と筐体内ユニット５１の下部の第二の係合部面５３との係合して接触している線分を回転軸として、矢印の方向に回動可能となる。
【００７５】
本発明を利用することにより、次のような効果が得られる。
【００７６】
即ち、ビスとナットの使用個数を削減することによる、遊技機の製造コストの削減である。
【００７７】
また、筐体内ユニットの下部を、遊技機筐体の係止部と係合させる構造をとることにより、筐体内ユニットの上部固定状態を解除し、遊技機筐体の係止部との係合状態を維持しつつ、”引き出し”の様に筐体内ユニットを引き倒した状態を維持できるため、この状態で筐体内ユニットの上部が開口されていることにより、メンテナンスの容易性を得ることができる。また、上述のように遊技機筐体の係止部との係合状態を維持することが出来るため、筐体内ユニットの上部の固定状態を解除したとき、筐体内ユニットが落下することを防止することができ、メンテナンス作業の安全性を向上させることができる。
【００７８】
なお、本明細書に記載された効果は、本発明から生じる最も好適な効果を列挙したに過ぎず、本発明による効果は、本明細書に記載されたものに限定されるものではない。
【００７９】
［筐体内ユニットの上部固定部の変形実施形態］
筐体内ユニット５１の上部を、上部固定部５５に代えて、掛止部８６を用いて固定する方法を、図１２に示す。
【００８０】
図１２を参照して、筐体内ユニット５１の掛止部８６は、筐体内ユニット装着領域６６の面に対して垂直に装着された差込板８７と、その差込板８７に鋭角に交差するように配置された掛止板８８と、から構成される。掛止板８８の先端には、掛止板８８に対して凸形状になるように、突出部８９が備えられている。突出部８９を、その抗力に対抗して下方に押し下げることにより、差込板８７との交差線を回転軸として、掛止板８８を下方へ向かって撓ませることができる。
【００８１】
一方、筐体内ユニット装着領域６６には、上述の筐体内ユニット５１の掛止部８６を差し込むための、凸状の穿孔部８５があけられている。
【００８２】
筐体内ユニット５１の掛止部８６の突出部８９を、その抗力に対抗して下方に押し下げることにより、差込板８７との交差線を回転軸として、掛止板８８を下方へ向かって撓ませつつ、筐体内ユニット５１の掛止部８６を、筐体内ユニット装着領域６６の凸状の穿孔部８５に差し込むことにより、筐体内ユニット５１を筐体内ユニット装着領域６６に掛止させることが可能となる。即ち、筐体内ユニット５１の掛止部８６を、筐体内ユニット装着領域６６の凸状の穿孔部８５に完全に挿入した状態では、掛止板８８の下方への撓みが解消され、筐体内ユニット５１の掛止板８８の凸形の両肩の部分と、筐体内ユニット装着領域６６の凸状の穿孔部８５の凸部の両肩の部分と、が接合し、筐体内ユニット５１が筐体内ユニット装着領域６６に掛止される。
【００８３】
また、筐体内ユニット５１が筐体内ユニット装着領域６６に掛止された状態を解除するためには、筐体内ユニット５１の掛止部８６の突出部８９を下方に押し下げつつ、筐体内ユニット５１の掛止部８６を筐体内ユニット装着領域６６の凸状の穿孔部８５から引き抜けばよい。
【００８４】
なお、上述のとおりに、筐体内ユニット５１の掛止部８６を筐体内ユニット装着領域６６の凸状の穿孔部８５に挿入し、筐体内ユニット５１が筐体内ユニット装着領域６６に掛止された状態を得るためには、図１２において、筐体内ユニット装着領域６６のｗ１とｈ１の寸法と、凸状の穿孔部８５のｗ２とｈ２の寸法が、夫々ほぼ等しいことが必要となる。
【００８５】
このような構造を以って、筐体内ユニット５１を筐体内ユニット装着領域６６に装着することにより、ビスとナット等の固定部材を一切必要としないため、遊技機の製造における製造工程の簡略化が図れ、また、製造コストの削減を図ることができる。
【００８６】
なお、上述の変形実施形態では、筐体内ユニット５１の上部固定部のみを、掛止部８６と、筐体内ユニット装着領域６６の凸状の穿孔部８５と、の組合せによって掛止するとしているが、本発明はこれに限らない。即ち、筐体内ユニットの下部固定部も、掛止部８６と、筐体内ユニット装着領域６６の凸状の穿孔部８５と、の組合せによって掛止する構造としてもよい。
【００８７】
［筐体内ユニットの下部固定部の変形実施形態］
筐体内ユニット５１の下部における第一の係合部面５２と第二の係合部面５３と、筐体内ユニット装着領域６６における掛止部６１と、の変形実施形態を、図１３〜図１５に示す。
【００８８】
先ず、図１３（ａ）及び図１３（ｂ）は、筐体内ユニット装着領域６６の爪部を、略矩形の穿孔部６４の上部に設け、爪部を筐体内ユニット５１の装着位置から見て内側に折り返して備えた構造の側面図である。図１３（ａ）は、筐体内ユニット５１を引き倒した状態であり、筐体内ユニット５１を矢印の方向へ回動させることにより、図１３（ｂ）の状態へ至る。即ち、図１３（ａ）における係合部９１の下面と係合部９２の左方面とが当接することにより、図１３（ｂ）の状態へ至る。また、図１３（ｂ）は、筐体内ユニット５１を筐体内ユニット装着領域６６に完全に装着した状態であり、筐体内ユニット５１を矢印の方向へ回動させることにより、図１３（ａ）の状態へ至る。このような構造をとることにより、上述の実施形態に示したものと同様の作用及び効果を得ることができる。
【００８９】
次いで、図１４（ａ）及び図１４（ｂ）は、筐体内ユニット装着領域６６の爪部を、略矩形の穿孔部６４の上部に設け、爪部を筐体内ユニット５１の装着位置から見て内側に折り返して備えた構造の側面図である。図１４（ａ）は、筐体内ユニット５１を引き倒した状態であり、筐体内ユニット５１を矢印の方向へ回動させることにより、図１４（ｂ）の状態へ至る。即ち、図１４（ａ）における係合部９３の上方面と係合部９４の左方面とが当接することにより、図１４（ｂ）の状態へ至る。また、図１４（ｂ）は、筐体内ユニット５１を筐体内ユニット装着領域６６に完全に装着した状態であり、筐体内ユニット５１を矢印の方向へ回動させることにより、図１４（ａ）の状態へ至る。このような構造をとることにより、上述の実施形態に示したものと同様の作用及び効果を得ることができる。
【００９０】
また、図１５に示す如く、筐体内ユニット５１は第一の係合部面５２のみを備える構造とし、筐体内ユニット装着領域６６との係合部分は、差込部９８のように第一の係合部面５２を差込可能な構造としてもよい。このような構造をとる筐体内ユニットの取り付け方法は、例えば、モータ駆動装置４４（図２参照）のように、装着箇所の制約で、筐体内ユニットを手前に引き倒せない状況である場合に、適用可能である。
【００９１】
なお、筐体内ユニットの上部固定部及び下部固定部は、上述した実施形態及び変形実施形態のいずれの構成の組合せもとることが可能である。例えば、筐体内ユニットの上部固定部及び下部固定部ともに掛止部８６を用いて固定を行ってもよい。いずれの場合にも、上述した実施形態と同様の作用及び効果が得られる。
【００９２】
また、本実施形態では、本発明をスロットマシンに適用した場合を示したが、本発明はこれに限らず、各種制御回路を筐体内ユニットに収納し、その筐体内ユニットを筐体内壁に装着することによって各種制御回路を内蔵する遊技機であれば、いずれの遊技機にも適用可能である。
【００９３】
【発明の効果】
本発明によれば、筐体内ユニットの筐体内への装着に関し、装着のための部品点数の軽減を図り、延いては、遊技機製造のコストを削減することが出来る。
【図面の簡単な説明】
【図１】本発明の一実施形態における遊技機の正面概観を表す図である。
【図２】本発明の一実施形態における遊技機の扉体を開いた状態の正面概観を表す図である。
【図３】本発明の一実施形態における遊技機の筐体内ユニットの概観を表す図である。
【図４】本発明の一実施形態における遊技機の扉体に設けられた、筐体内ユニットの掛止部の概観を表す図である。
【図５】本発明の一実施形態における遊技機の筐体内ユニットと、筐体内ユニットの掛止部の係合の位置関係を表す概観図である。
【図６】本発明の一実施形態における遊技機の筐体内ユニットと、筐体内ユニットの掛止部の係合状態を表す概観図である。
【図７】本発明の一実施形態における遊技機の筐体内ユニットと、筐体内ユニットの掛止部の係合状態を表す概観図である。
【図８】本発明の一実施形態における遊技機の筐体内ユニットと、筐体内ユニットの掛止部の係合状態を表す側面図である。
【図９】本発明の一実施形態における遊技機の筐体内ユニットと、筐体内ユニットの掛止部の係合状態であって、筐体内ユニットを引き倒した状態を表す概観図である。
【図１０】本発明の一実施形態における遊技機の筐体内ユニットと、筐体内ユニットの掛止部の係合状態であって、筐体内ユニットを引き倒した状態を表す概観図である。
【図１１】本発明の一実施形態における遊技機の筐体内ユニットと、筐体内ユニットの掛止部の係合状態であって、筐体内ユニットを引き倒した状態を表す側面図である。
【図１２】本発明の変形実施形態における遊技機の筐体内ユニットと、筐体内ユニットの掛止部の係合の位置関係を表す概観図である。
【図１３】本発明の変形実施形態における遊技機の筐体内ユニットと、筐体内ユニットの掛止部の係合状態を表す側面図である。
【図１４】本発明の変形実施形態における遊技機の筐体内ユニットと、筐体内ユニットの掛止部の係合状態を表す側面図である。
【図１５】本発明の変形実施形態における遊技機の筐体内ユニットと、筐体内ユニットの掛止部の係合状態を表す側面図である。
【符号の説明】
１０  遊技機
１２  筐体
１６  扉
４４  モータ駆動装置
５１  筐体内ユニット
５２  第一の係合部面
５３  第二の係合部面
５５  上部固定部
６１  掛止部
６２  第一の掛止部面
６３  第二の掛止部面
６４  略矩形の穿孔部
６６  筐体内ユニット装着領域
【図１】
2004344522.tif 000003
【図２】
2004344522.tif 000004
【図３】
2004344522.tif 000005
【図４】
2004344522.tif 000006
【図５】
2004344522.tif 000007
【図６】
2004344522.tif 000008
【図７】
2004344522.tif 000009
【図８】
2004344522.tif 000010
【図９】
2004344522.tif 000011
【図１０】
2004344522.tif 000012
【図１１】
2004344522.tif 000013
【図１２】
2004344522.tif 000014
【図１３】
2004344522.tif 000015
【図１４】
2004344522.tif 000016
【図１５】
2004344522.tif 000017